(57)【要約】【課題】後続車両の運転者に対して、二輪車用足掛け台が利用されていることを容易に視認させることができる視認用の発光器を備えた二輪車用足掛け台を提供すること。【解決手段】道路沿いに設けられ、二輪車の運転者が停車状態を保持する際に片足を掛けて用いる二輪車用足掛け台１であって、前記二輪車用足掛け台１は、その足掛け用上面１１の高さが、二輪車の運転者が前記二輪車用足掛け台１の足掛け用上面１１に片足を掛けて、停車姿勢を保持できる高さがあり、前記二輪車用足掛け台１は、足掛け用上面１１に着足された場合に通電されて発光する視認用の発光器を備えている。【選択図】図１
2012197616.tif 000002
【特許請求の範囲】
【請求項１】
道路沿いに設けられ、二輪車の運転者が停車状態を保持する際に片足を掛けて用いる二輪車用足掛け台であって、
前記二輪車用足掛け台は、その足掛け用上面の高さが、二輪車の運転者が前記二輪車用足掛け台の足掛け用上面に片足を掛けて、停車姿勢を保持できる高さがあり、かつ前記二輪車用足掛け台は、足掛け用上面に着足された場合に通電されて発光する視認用の発光器を備えていることを特徴とする視認用の発光器を備えた二輪車用足掛け台。
【請求項２】
前記二輪車用足掛け台は、太陽電池パネルを備えていると共にこれに接続する蓄電池を備え、前記二輪車用足掛け台上には、足掛け用上面に着足された場合にオンとなり、前記視認用の発光器を点灯又は消灯するためのスイッチが設けられていることを特徴とする請求項１に記載の視認用の発光器を備えた二輪車用足掛け台。
【請求項３】
前記スイッチが、足掛け用上面の長手方向に伸びるテープスイッチであることを特徴とする請求項２に記載の視認用の発光器を備えた二輪車用足掛け台。
【請求項４】
前記二輪車用足掛け台は、前記二輪車用足掛け台上には、足掛け用上面に着足された場合に検知する歪センサーが設けられていることを特徴とする請求項１に記載の視認用の発光器を備えた二輪車用足掛け台。
【請求項５】
足掛け用上面の高さは、自転車からなる二輪車におけるペダル最高地点よりも低くされていることを特徴とする請求項１〜４のいずれか１項に記載の視認用の発光器を備えた二輪車用足掛け台。
【請求項６】
足掛け用上面に足掛け表示部を設けていることを特徴する請求項１〜５のいずれか１項に記載の視認用の発光器を備えた二輪車用足掛け台。
【請求項７】
二輪車用足掛け台は、コンクリート基礎又は地盤に下部が固定された位置調整支持金物を介して設けられていることを特徴とする請求項１〜６のいずれか１項に記載の視認用の発光器を備えた二輪車用足掛け台。
【請求項８】
二輪車用足掛け台は、コンクリート基礎又は地盤に下部が埋め込み固定されるパイプ製フレームを備えていることを特徴とする請求項１〜６のいずれか１項に記載の視認用の発光器を備えた二輪車用足掛け台。
【発明の詳細な説明】
【技術分野】
【０００１】
本発明は、車道又は自転車道等の側部に沿って設置されて、自転車等の二輪車の運転者が二輪車用足掛け台に片足を掛けて信号待ちをする場合において、二輪車用足掛け台に設けた視認用の発光器のランプを点灯させて、後方の車輌の運転者が確実に視認できるようにした視認用の発光器を備えた二輪車用足掛け台に関する。
【背景技術】
【０００２】
従来、道路側部に沿って設置される二輪車用足掛け台は知られていない。
分野が異なるが、ガードレール支柱の上端に点滅灯を設けて位置を視認させる装置が知られている（例えば、特許文献１参照）。
【先行技術文献】
【特許文献】
【０００３】
【特許文献１】特開平７−１３３６０７号公報
【発明の概要】
【発明が解決しようとする課題】
【０００４】
自転車等の二輪車の運転者が、交差点等の手前において二輪車用足掛け台に片足を掛けて停車した場合に、自動車或は二輪車等の後続車両の運転者に対して、停車中であることを容易に視認させて注意を喚起することで、停車中の二輪車に対する後続二輪車の衝突、或は後続自動車又は大型車等の後続車両が交差点を曲がる場合に、停車待機している二輪車及び運転者を巻き込むのを防止することで、二輪車の利用者がより安全に運転できるようになることが望まれる。
本発明は、自転車等の二輪車の運転者が二輪車用足掛け台に片足を掛けて停車中であることを、二輪車用足掛け台の視認用の発光器を点灯又は点滅させて、自動車或は二輪車等の後続車両の運転者に対して、二輪車用足掛け台が利用されていることを容易に視認させることができる視認用の発光器を備えた二輪車用足掛け台を提供することを目的とする。
【課題を解決するための手段】
【０００５】
第１発明の視認用の発光器を備えた二輪車用足掛け台においては、道路沿いに設けられ、二輪車の運転者が停車状態を保持する際に片足を掛けて用いる二輪車用足掛け台であって、前記二輪車用足掛け台は、その足掛け用上面の高さが、二輪車の運転者が前記二輪車用足掛け台の足掛け用上面に片足を掛けて、停車姿勢を保持できる高さがあり、かつ前記二輪車用足掛け台は、足掛け用上面に着足された場合に通電されて発光する視認用の発光器を備えていることを特徴とする。
第２発明では、第１発明の視認用の発光器を備えた二輪車用足掛け台において、前記二輪車用足掛け台は、太陽電池パネルを備えていると共にこれに接続する蓄電池を備え、前記二輪車用足掛け台上には、足掛け用上面に着足された場合にオンとなり、前記視認用の発光器を点灯又は消灯するためのスイッチが設けられていることを特徴とする。
第３発明では、第２発明の視認用の発光器を備えた二輪車用足掛け台において、前記スイッチが、足掛け用上面の長手方向に伸びるテープスイッチであることを特徴とする。
第４発明では、第１発明の二輪車用足掛け台において、前記二輪車用足掛け台は、前記二輪車用足掛け台上には、足掛け用上面に着足された場合に検知する歪センサーが設けられていることを特徴とする。
第５発明では、第１発明〜第４発明のいずれかの視認用の発光器を備えた二輪車用足掛け台において、足掛け用上面の高さは、自転車からなる二輪車におけるペダル最高地点よりも低くされていることを特徴とする。
第６発明では、第１発明〜第５発明の視認用の発光器を備えた二輪車用足掛け台において、足掛け用上面に足掛け表示部を設けていることを特徴する。
第７発明では、第１発明〜第６発明のいずれかに記載の二輪車用足掛け台において、二輪車用足掛け台は、コンクリート基礎又は地盤に下部が固定された位置調整支持金物を介して設けられていることを特徴とする。
第８発明では、第１発明〜第６発明のいずれかに記載の二輪車用足掛け台において、二輪車用足掛け台は、コンクリート基礎又は地盤に下部が埋め込み固定されるパイプ製フレームを備えていることを特徴とする。
【発明の効果】
【０００６】
第１発明によると、道路沿いに設けられ、二輪車の運転者が停車状態を保持する際に片足を掛けて用いる二輪車用足掛け台であって、前記二輪車用足掛け台は、その足掛け用上面の高さが、二輪車の運転者が前記二輪車用足掛け台の足掛け用上面に片足を掛けて、停車姿勢を保持できる高さがあり、かつ前記二輪車用足掛け台は、足掛け用上面に着足された場合に通電されて発光する視認用の発光器を備えているので、二輪車用足掛け台に片足を掛けて停車した場合に、自動車或は二輪車等の後続車両の運転者に対して、停車中であることを容易に視認させて注意を喚起することができ、そのため、停車中の二輪車に対する後続二輪車の衝突、或は後続自動車又は大型車等の後続車両が交差点を曲がる場合に、停車待機している二輪車及び運転者を巻き込むのを防止することができ、停車又は発車する場合に二輪車の利用者がより安全に運転できるようになる等の効果が得られる。
第２発明によると、前記二輪車用足掛け台は、太陽電池パネルを備えていると共にこれに接続する蓄電池を備え、前記二輪車用足掛け台上には、足掛け用上面に着足された場合にオンとなり、前記視認用の発光器を点灯又は消灯するためのスイッチが設けられているので、二輪車の運転者が二輪車用足掛け台に片足を掛けた場合にスイッチを作動させて視認用の発光器を容易に発光させることができ、また、太陽電池パネル及び蓄電池を備えているので、昼間に蓄電して、夜間においても、二輪車の運転者が二輪車用足掛け台に片足を掛けた場合にスイッチを作動させて視認用の発光器を容易に発光させることができ等の効果が得られる。
第３発明によると、前記スイッチが、足掛け用上面の長手方向に伸びるテープスイッチであるので、市販の安価なテープスイッチを用いて、二輪車用足掛け台の長手方向に渡るスイッチを配置することができる等の効果が得られる。
第４発明によると、第１発明の二輪車用足掛け台において、前記二輪車用足掛け台は、前記二輪車用足掛け台上には、足掛け用上面に着足された場合に検知する歪センサーが設けられているので、着足された場合に歪センサーにより検知し、歪センサーからの信号を視認用の発光器のランプを点灯させる制御部に送信することで、視認用の発光器のランプを点灯させることができる等の効果が得られる。
第５発明によると、足掛け用上面の高さは、自転車からなる二輪車におけるペダル最高地点よりも低くされているので、二輪車の運転者が前記二輪車用足掛け台の足掛け用上面に片足を乗せる場合に、ペダル最高地点時における片足位置から下降させるように片足を着足させることができるため、片足を足掛け用上面に着足させる場合の片足動作が無理なく容易にでき、また、安定した停車姿勢を保持できる等の効果が得られる。
第６発明によると、足掛け用上面に足掛け表示部を設けているので、二輪車の運転者が、足掛け部分であることを確実に視認できる等の効果が得られる。
第７発明によると、二輪車用足掛け台は、コンクリート基礎又は地盤に下部が固定された位置調整支持金物を介して設けられているので、二輪車用足掛け台の位置調整をして設置することができ、また、二輪車用足掛け台の本体部分が、直接、コンクリート基礎又は地盤１５に接触しないため、本体部分の腐食を防止でき、防錆上有利になる等の効果が得られる。
第８発明によると、二輪車用足掛け台は、コンクリート基礎又は地盤に下部が埋め込み固定されるパイプ製フレームを備えているので、市販の鋼製パイプ等の安価な金属製パイプを利用してフレームを製作できるため、安価な二輪車用足掛け台とすることができる。等の効果が得られる。
【図面の簡単な説明】
【０００７】
【図１】（ａ）は本発明の二輪車用足掛け台の一実施形態を示す正面斜視図、（ｂ）は背面斜視図である。
【図２】（ａ）は図１に示す本発明の二輪車用足掛け台の正面図、（ｂ）は平面図である。
【図３】（ａ）は図１に示す本発明の二輪車用足掛け台の端部の左側面図、（ｂ）は右側面図である。
【図４】（ａ）は図１に示す本発明の二輪車用足掛け台の背面図、（ｂ）は底面図である。
【図５】（ａ）（ｂ）（ｃ）（ｄ）（ｅ）は、それぞれ、図２のａ−ａ線断面図，ｂ−ｂ線断面図，ｃ−ｃ線断面図，ｄ−ｄ線断面図、ｅ−ｅ線断面図である。
【図６】図５（ａ）を拡大して示す図である。
【図７】二輪車用足掛け台における上面の傾斜角についての説明図である。
【図８】二輪車用足掛け台の上面の高さについての説明図である。
【図９】本発明の二輪車用足掛け台の上面に、二輪車の運転者が片足を掛けて停車している状態を示す概略側面図である。
【図１０】本発明の二輪車用足掛け台の設置形態を示す概略平面図である。
【図１１】二輪車用足掛け台を設置する場合に、位置調整金物を介してコンクリート基礎又は地盤に設置する場合の形態の一端側を示す正面図である。
【図１２】図１１の断面図である。
【図１３】図１１を分解して示す斜視図である。
【図１４】本発明の二輪車用足掛け台の他の実施形態を示す正面斜視図である。
【図１５】図１４に示す本発明の二輪車用足掛け台の他の実施形態を示す背面斜視図である。
【発明を実施するための形態】
【０００８】
次に、本発明を図示の実施形態に基づいて詳細に説明する。
【０００９】
図１〜図６には本発明の一実施形態の二輪車用足掛け台１が示され、図１０には二輪車用足掛け台１を設置した概略平面図が示されている。
図１（ａ）（ｂ）は、それぞれ二輪車用足掛け台１の正面斜視図と背面斜視図、図２（ａ）（ｂ）は、それぞれ図１に示す二輪車用足掛け台１の正面図と平面図、図３（ａ）（ｂ）は、それぞれ、左側面図及び右側面図である。図４（ａ）は図１に示す本発明の二輪車用足掛け台１の背面図、（ｂ）は底面図である。図５（ａ）（ｂ）（ｃ）（ｄ）（ｅ）はそれぞれ、図２のａ−ａ，ｂ−ｂ−，ｃ−ｃ，ｄ−ｄ，ｅ−ｅ線断面図、図６は図５（ａ）を拡大して示す図である。
【００１０】
本発明の二輪車用足掛け台１は、例えば、図１０に示すように、交差点Ｘにおける横断歩道Ｙ手前の路側，自転車道路等の道路２の側部（例えば、歩道側）に沿って設置され、図９に示すように、二輪車３のサドル等の座席３ａに運転者４が着座したままで停車状態を保持する際に、片足５を掛けて使用される二輪車用足掛け台である。
【００１１】
図１〜図６に示す実施形態の二輪車用足掛け台１では、道路長手方向に伸びる下部枠材６を備えていると共に、前記下部枠材６に一体に連接されその長手方向の両端部から上方に立ち上がる前部縦枠材７と、後部縦枠材８とを備えていると共に、前記前部縦枠材７と後部縦枠材８との上端部に渡って一体に設けられた上部枠材９とを備えた枠形フレームを有している。
図４に２点鎖線で示すように、二輪車用足掛け台１は、例えば、コンクリート基礎又は地盤１５に、下部枠材６が適宜の固定手段１６により固定され、例えば、アンカーボルト・ナット及び座金を用いた固定手段１６により固定される。
前記の上部枠材９の長さ寸法Ｌ（図２ａ参照）としては、例えば、二輪車の外形長さ寸法程度あるいは二輪車の外形長さ寸法の２倍以下の長さ寸法（１ｍ〜３ｍ）とされ、１車輌又は２車輌の１人又は二人程度の運転者４の足掛けが可能にされている。
【００１２】
前記の上部枠材９の上面の巾方向の形態は、図示の形態では、道路中央に向けて下降するように傾斜した傾斜面１０が上部枠材９の長手方向の全長に亘るように設けられ、上部枠材９の傾斜面１０には、二輪車用足掛け台１の長手方向に渡って（好ましくはほぼ全長に渡って）、テープスイッチ１９が設けられ、前記テープスイッチ１９を被覆するように、屈曲性のあるシート状ゴム板或は帯状ゴム板等の屈曲性のある滑り防止板１２を接着剤等により前記傾斜面１０に固着するように設けて、その滑り防止板１２の上面を足掛け用上面１１としている。
そして、二輪車の運転者が、片足５を足掛け用上面１１に掛けることで、テープスイッチ１９を押圧し、前記テープスイッチ１９の一方及び他方の帯状電極板２４，２５（図６参照）が接触して通電されてオンにされた場合に、二輪車用足掛け台１の後面側の視認用の発光器２０におけるランプ２１を点灯又は点滅させることで、自動車或は二輪車等の後続車両の運転者に対して、注意を喚起して、停車中の二輪車に対する後続二輪車の衝突、或は後続自動車又は大型車等の後続車両が交差点を曲がる場合に、停車待機している二輪車及び運転者を巻き込むのを防止するようにしている。
より具体的には、図３及び図５ｃに示すように、後部縦枠材８の後面板１３に上下方向のスリット２３を設けて、視認用の発光器２０を後部縦枠材８内に収納するように設置すると共に、前記発光器２０におけるランプ２１を、後部縦枠材８の後面板１３から突出しないように配置している。
前記の視認用の発光器２０におけるランプ２１としては、ＬＥＤ（発光ダイオード）を複数備えた形態、例えば、多数の青色高輝度ＬＥＤ（発光ダイオード）を並列配置した形態とし、上部枠材９の一端側に開口部を設けると共に上部枠材９の傾斜面１０と同面状となるように、かつ上部枠材９内に収容するように太陽電池パネル２２を設置して、昼間に太陽電池パネル２２により発電した電気を蓄電池（図示を省略）により蓄電し、テープスイッチ１９がオンにされた場合に、通電すると共に必要に応じ制御部等を介して、視認用の発光器２０の発光ダイオードを備えた各ランプ２１を点灯又は点滅させるようにして、ランニングコストが安価になるようにしている。前記の蓄電池は、上部枠材９内又は下部枠材６内あるいは各縦枠材７，８内に収納配置される。
また、足掛け用上面１１に靴等の履物を掛ける部分を表示する履物裏面の輪郭を表示した外形足掛け表示部１４を設けて、二輪車の運転者が、足掛け部分であることを確実に視認できるようにしている。
前記のように、足掛け表示部１４の下側にテープスイッチ１９を設置するようにすると、二輪車の運転者に確実に足掛け表示部１４を視認させて、確実に二輪車の運転手４の片足５を掛けさせて、テープスイッチ１９を確実に作動させることができる。なお、夜間において、前記の足掛け表示部１４を明るくさせると、夜間においても、二輪の運転者に確実に二輪車用足掛け台１の存在及び足掛け表示部１４の位置を視認させることができる。
前記の足掛け表示部１４を明るくさせる手段として、例えば、二輪車用足掛け台１の上面側に、足掛け表示部の輪郭に添って発行ダイオードを点在させて、その上面側を被覆するように半透明合成樹脂製の柔軟な可撓性板からなる滑り防止部材１２を設置することで、夜間にも適用可能になる。前記の足掛け表示部１４を明るくさせるために、別個に太陽電池パネルを上部枠材９の上面と同面状となるように設置し、昼間に太陽電池パネルにより発電した電気を蓄電池（図示を省略）により蓄電し、二輪車用足掛け台１に適宜装備した明暗感知器（図示を省略）からの信号によりオン・オフ操作して、発光器を発光させることで、前記の足掛け表示部１４を明るくさせることでもよい。
前記の外形足掛け表示部１４を含む足掛け用上面１１を粗面としておくと、履物裏面との摩擦抵抗が大きくなるから、片足５の着足が容易になると共に発車時の片足の蹴りが確実になる。前記の外形足掛け表示部１４を含む足掛け用上面１１は、図示した平面図に限らず、凹凸を形成した形態でもよい。
【００１３】
次に、図７及び図３を参照して前記の二輪車用足掛け台１の上面側の傾斜角θについて説明する。
前記の二輪車用足掛け台１の足掛け用上面１１の傾斜角θ、すなわち、水平面Ｓとのなす角度θは、停車時と発車時における好ましい角度が異なる。足掛け用上面１１に片足５を掛けて停車した時における角度θの好ましい角度としては、運転者の心地よい角度を実験して調査したところ、１０°〜３０°、例えば、２０°前後であることがよく、また、発車時において片足により力を掛けやすい角度としては、１５°〜３５°、例えば、３０°前後であることが望ましい。したがって、足掛け用上面１１の傾斜角θとしては、例えば、３５°以下程度であれば、二輪車の運転者４は、片足５を足掛けすることが可能である。足掛け用上面１１の傾斜角θが６０°と大きくなると、片足５下面と足掛け用上面１１との摩擦抵抗が小さくなり滑る恐れがあるので好ましくない。
前記のように、足掛け用上面１１は、道路中央に向けて下降するように傾斜した傾斜面１０とされているので、自転車等の二輪車を運転する運転者４は、交差点などの信号待ちで、二輪車を停車させて待機する際に、二輪車用足掛け台１に片足５を掛ける（乗せる）ことで、運転者自身及び二輪車３を安定した姿勢で、待機することができる。
また、足掛け用上面１１は、道路中央に向けて下降するように傾斜した傾斜面１０とされていると、二輪車の運転者４が片足５（左足）を開いて道路幅方向に傾斜させて片足５を足掛け用上面１１に掛ける場合に、足掛け用上面１１を水平面とする場合に比べて、確実に運動靴等の裏面を着足させることができる。
なお、本発明では、足掛け用上面１１は道路巾方向の中央側に向かって傾斜した傾斜面とすることが好ましいが、足掛け用上面１１を水平面と平行な平坦面とすることでもよい。
【００１４】
二輪車用足掛け台１を道路の側部に沿って、配置して固定するために、例えば、図４に示すように、下部枠材６に、ボルト又はアンカーボルト等により固定するための、ボルト又はアンカーボルト挿通孔を設けるようにし、下部枠材６に回動工具挿入孔１７を設けておくと、下部枠材６の底板側を固定して、固定手段１６を下部枠材６の内部に収容できて、二輪車用足掛け台１の外観が簡素になる。回転工具挿入孔１７を設ける場合には、固定手段１６の固定後に雨水などが入り込まないように、カバー部材による蓋を施すとよい。二輪車用足掛け台１を道路側部に固定する手段としては、他の適宜の固定手段とすることができる。
前記実施形態では、下部枠材６の上方が空間となっているから、二輪車用足掛け台１を枠形のスマートな形態としている。
道路側部（路側或は路肩）に立設するように保持フレーム等を予め設置する場合には、前記実施形態における上部枠材９と、後部縦枠材８とを、前記保持フレームに固定するようにすればよいから、本発明においては、前部縦枠材７或は下部枠材６を、備えていない形態の二輪車用足掛け台１としてもよい。
【００１５】
次に、図８及び図３並びに図７を参照して前記の二輪車用足掛け台１の足掛け用上面１１の高さｈについて説明する。
図示の形態の二輪車用足掛け台１は、その足掛け用上面１１の高さ寸法ｈ（二輪車の走行面からの高さ寸法）が、二輪車３の運転者４が前記二輪車用足掛け台１の足掛け用上面１１に片足を掛けて、停車姿勢を保持できる程度の高さとされている。
前記の足掛け用上面１１の高さ寸法ｈ（二輪車の走行路面からの高さ寸法）は、図８に示すように、自転車からなる二輪車３におけるペダル最高地点Ｐ（クランクが回動されて最上部となった場合でペダルが水平となった場合の上面位置）よりも低くされている。このようにすることで、二輪車３の運転者４が前記二輪車用足掛け台１の足掛け用上面１１に片足５を掛ける（又は乗せる）場合に、ペダル最高地点Ｐ時における片足位置から下降させるように前記片足５を着足させることができるため、片足５を足掛け用上面１１に着足させる場合の片足動作が無理なく容易に着足させることができ、また、安定した姿勢で、停車姿勢を保持できる。
自転車からなる二輪車３におけるペダル最高地点Ｐの高さ寸法Ｈが、凡そ、４００ｍｍ〜４５０ｍｍであるため、前記の足掛け用上面１１の高さ寸法ｈとしては、二輪車の走行面からの高さ寸法ｈで、例えば、３５０ｍｍ〜３６０ｍｍの範囲とするとよいことがわかった。身長１５５ｃｍ〜１８０ｃｍの範囲の身長の運転者で、５ｃｍきざみで身長の異なる運転者を対象にして、着足の荷重状態を表せる感圧センサを用い、停車時に足掛け用上面１１に片足５を掛けた場合の安定感及び発車時の足掛け用上面１１上の片足５を後方に蹴り出し発車する場合の容易確実性について実験した。その結果、前記の二輪車の走行面（路面）からの好ましい高さ寸法ｈとしては、ペダル１８の最高地点Ｐから、二輪車の運転者４がストレスを感じることなく片足を掛けることができることが、前記の高さ寸法ｈを決める要因であり、運転者４の身長や足の長さによって前記高さ寸法ｈが決まるのではないことがわかった。
また、足掛け用上面１１の低レベル側の高さ寸法ｈ１（図３ｂ参照）が、前記のペダルの最高地点Ｐより高く設定されていると、二輪車の運転者４は、左右の足の荷重バランスが崩れやすくなり、安定感（安定性）を失う恐れが高くなり、反対側の足により路面に着足するようになるため、好ましくない。
【００１６】
前記の足掛け用上面１１の面を、凹凸等の粗い粗面として、靴等の履物との摩擦係数を高める形態として、ゴム製シート又は樹脂製シートの表面に凹凸を設ける形態としてもよい。或は、図示を省略するが、上部枠材９の上面を平坦面として、テープスイッチを表層部に設けたゴム製又は樹脂製の滑り防止部材１２の下面を上部枠材９の上面に接着材等により固定し、前記テープスイッチを蓄電池及び発光器に接続するようにしてもよい。
【００１７】
前記実施形態の場合は、上部枠材９の上面に傾斜面１０を形成するようにしているが、上部枠材９として、複数のパイプ材を巾方向に高さレベルを変えて（又は同じレベルとして）、前後の縦枠材７，８に固定して、複数のパイプ材の上端面により、全体として傾斜面（ほぼ平坦部）を形成するようにし、前記の傾斜面（ほぼ平坦部）にテープスイッチを設けるようにしてもよい。
【００１８】
図示の実施形態では、二輪車用足掛け台１は、断面角形中空の、上部枠材９と下部枠材６と、前部枠材７及び後部枠材８とされているが、断面中実の形態としたり、断面溝形の形態としたり、場合によっては、板状の形態、断面波型の形態としてもよい。
【００１９】
また、上部枠材９として１本の丸パイプで形成し、片足５を着足する上側曲面にテープスイッチを設けるようにしてもよい。
【００２０】
前記実施形態では、二輪車用足掛け台１の後面側に視認用の発光器２０を設けるようにしているが、本発明を実施する場合に、図１（ａ）を参照して説明すると、二輪車用足掛け台１における後部のコーナー部（上部枠材９又は下部枠材６と後部縦枠材８との交差部）を傾斜面として、何れか一方又は両方の傾斜面にスリット２３を設けて、視認用の発光器２０を設けるようにしてもよい。
【００２１】
本発明を実施する場合に、前記実施形態のスリット２３に代えて、後部縦枠材８の後面に上下方向に所定の長さの凹部を設けて、その凹部にランプ２１を配置するようにしてもよい。
【００２２】
また、前記実施形態では、ランプ２１を発光させるための電力として、太陽電池パネル２２により発電し、蓄電池で蓄電するとしているが、外部から電力を供給するようにしてもよい。
また、前記のテープスイッチ１９に代えて、足掛け用上面１１に歪センサーを設けることで、着足時の荷重を検知して、歪センサーからの検知信号により、これに接続された制御部を介して発光器２０のランプ２１を点灯又は点滅させるようにしてもよい。
【００２３】
図１１〜図１３に示すように、二輪車用足掛け台１を設置する場合に、コンクリート基礎又は地盤１５に固定された一つ又は間隔をおいて固定された複数の位置調整支持金物２７を介して二輪車用足掛け台１を、路面から浮かせた状態で設置するようにしてもよい。
図示の形態では、コンクリート基礎又は地盤１５に、ベースとなる断面溝形等の下部金物２８を、コンクリート基礎又は地盤１５に埋め込み固定されるアンカーボルトに座金及びナット等による固定手段１６により固定し、下部金物２８の両側の上部縦側板２９に、断面溝形等の台座金物３０の両側の下部縦側板３１をボルト３２（又はボルト・ナット）により固定し、その台座金物３０の上面板３２に二輪車用足掛け台１の下部枠材６をボルト・ナット３３により固定するようにしてもよい。
さらに説明すると、下部金物２８の上部縦側板２９に、複数のボルト挿通用の長孔を設け、台座金物３０の下部縦側板３１に雌ねじ孔（又はボルト挿通孔）を設けてボルト３２（又はボルト・ナット）により固定している。また、台座金物３０の上面板３４に間隔をおいて複数の長孔を設けていると共に、中央部に挿入孔を設けて、下部枠材６側の底板側に設けた挿入孔１７に合致させている。前記のように挿入孔１７を設けることで、アンカーボルト頭部との干渉を防止するようにしている。
前記の位置調整支持金物２７は、下部金物２８と台座金物３０とボルト等により構成されている。
位置調整支持金物２７における下部金物２８を、コンクリート基礎又は地盤１５にアンカーボルト等の固定手段１５で固定し、台座金物３０を二輪車用足掛け台１の下部枠材６にボルト・ナット３３で固定した後、台座金物３０を下部金物２８に固定する手順で設置される。台座金物３０を下部金物２８に固定する場合のボルト３２にせん断力が作用しないようにするために、、上面板３４の下面に各縦側面板２９の上端をタッチさせて（図示の場合）、または各下部縦側板３１の下端をコンクリート基礎又は地盤にタッチさせて（図示を省略）、ボルト３２（又はボルト・ナット）により、各縦側面板２９と各下部縦側板３１を固定する。
なお、図示を省略するが、前記実施形態と同様に下部枠材６を断面溝形として回動工具挿入孔１７を、下部枠材６の下面板側に設けるようにしてもよい。
前記のように、コンクリート基礎又は地盤１５に固定された位置調整支持金物２７を介して、二輪車用足掛け台１を設置すると、二輪車用足掛け台１の位置調整をして設置することができ、また、二輪車用足掛け台１の本体部分が、直接、コンクリート基礎又は地盤１５に接触しないため、本体部分の腐食を防止でき、防錆上有利になる。
【００２４】
本発明の二輪車用足掛け台１は、図１４及び図１５に示すように、フレームをパイプ材により構成するようにしてもよい。
前記実施形態において、二輪車用足掛け台１の一部にパイプ材を用いる形態については前記で簡単に説明したが、前記以外にも、例えば、図１７及び図１８に示すように、二輪車用足掛け台１における下部枠材６を省略して、パイプ材を折り曲げ加工と溶接により形成したパイプ製の本体を備えた二輪車用足掛け台１としてもよい。
図１４及び図１５に示す形態では、２本の鋼製パイプが折り曲げ加工されると共に一体化されて、二輪車用足掛け台１の本体フレームの主要部が形成されている。具体的には、歩道側に位置する第１フレーム３５と、道路側寄りに位置し前記第１フレーム３５に下端部が溶接により固定された第２フレーム３６とを備えている。
前記の第１フレーム３５は、前後の垂直な下部縦部分３７と、これに接続し前記各下部縦部分３７に対して道路側に傾斜するように折り曲げ形成された上部傾斜縦部分３８と、各上部傾斜縦部分３８に接続された上部横部分３９と、上部横部分３９に平行に、上部傾斜縦部分３８の下部に渡って同面状に配置されて端部が溶接により固定された下部横部分４０と、上下の横部分３９，４０に渡って配置されて溶接により固定された鋼製の背面板４１とを備えている。
また、前記の第２フレーム３６は、第１フレーム３５の前記上部傾斜縦部分３８に平行な、前後の下部傾斜縦部分４２と、各下部傾斜縦部分４２に接続された上部横部分４３とを備えている。
道路側寄りに配置された第２フレーム３６の各下部傾斜縦部分４２の下端部が、第１フレーム３５の下部縦部分３７の中間部に溶接により固定され、また、第１フレーム３５の上部横部分３９よりも第２フレーム３６の上部横部分４３が低レベルとされ、各上部横部分３９，４３に渡って、道路側に傾斜する帯状の傾斜上面板４４が配置されて固定されて、傾斜面１０を有する二輪車用足掛け台１の本体フレームが形成されている。
前記の背面板４１には、適宜開口部が形成されて、太陽電池パネル２２が嵌め込まれて適宜ボルト等（図示を省略）により固定されている。また、前記の背面板４１の裏面側（道路より側）には、蓄電池等の収納ボックス４５がボルト等（図示を省略）により固定されている。
前記の傾斜上面板４４には、帯状のすべり防止部材１２及び足掛け表示部１４が適宜設けられ、すべり防止部材１２の上面も傾斜面１０とされ、また、図示を省略するが、前記実施形態と同様にテープスイッチあるいは歪センサーが設けられる。歪センサーとしては着足された時の荷重により抵抗（Ω）が変化する抵抗変化型の歪センサーを用い、これを間隔をおいて、又は連続して、例えば、すべり防止板１２の下側又は足掛け用上面１１上に設けるようにする。
なお、前記の傾斜上面板４４の高さ及び前記の傾斜面１０の傾斜角度等は、前記実施形態と同様である。すべり防止部材１２の板厚寸法は薄い場合、又は傾斜上面板４に溝を設けてすべり防止部材１２と傾斜上面板４上面を同レベルとする場合には、前記の傾斜上面板４４の高さ位置で設定してもよい。すべり防止部材１２の板厚寸法を考慮して、高さレベルを設定するのが望ましい。
また、第２フレーム３６の後部の下部傾斜縦部分４２に、ランプ２１を有する発光器２０が、第１フレーム３５に向かって張り出すように、図示省略のボルト等により固定されている。
後部側の前記の下部縦部分３７と上部傾斜縦部分３８と下部傾斜縦部分４２等により後部縦枠材８が形成され、前部側の前記の下部縦部分３７と上部傾斜縦部分３８と下部傾斜縦部分４２等により前部縦枠材７が形成され、上部横部分３８，４３と下部横部分４０と背面板４１と傾斜上面板４４等により上部枠材９が形成されている。
前記の第１フレームの下端部がコンクリート基礎又は地盤１５に埋め込み固定されている。
第１フレーム３５及び第２フレーム３６としては、円形断面、楕円状断面、矩形状断面形態のパイプ材を用いるようにしてもよい。
前記のように、二輪車用足掛け台１のフレームを、パイプ製のフレームとすると、市販の鋼製パイプ等の安価な金属製パイプを利用して、曲げ加工及び溶接加工等によりフレームを製作できるため、前記実施形態の場合より安価な二輪車用足掛け台１とすることができる。
なお、この実施形態における一部（足掛け用の上面を粗面とする点等）には、前記した実施形態を適用するようにしてもよい。
【符号の説明】
【００２５】
１  二輪車用足掛け台
２  道路
３  二輪車
３ａ  座席
４  運転者
５  片足
６  下部枠材
７  前部縦枠材
８  後部縦枠材
９  上部枠材
１０  傾斜面
１１  足掛け用上面
１２  滑り防止板
１３  後面板
１４  足掛け表示部
１５  コンクリート基礎又は地盤
１６  固定手段
１７  回動工具挿入孔又は挿入孔
１８  ペダル
１９  テープスイッチ
２０  発光器
２１  ランプ
２２  太陽電池パネル
２３  スリット
２４  帯状電極板
２５  帯状電極板
２７  位置調整支持金物
２８  下部金物２８
２９  上部縦側板
３０  台座金物
３１  下部縦側板
３２  ボルト
３３  ボルト・ナット
３４  上面板
３５  第１フレーム
３６  第２フレーム
３７  下部縦部分
３８  上部傾斜縦部分
３９  上部横部分
４０  下部横部分
４１  背面板
４２  下部傾斜縦部分
４３  上部横部分
４４  傾斜上面板
４５  収納ボックス
Ｘ  交差点
Ｙ  横断歩道
【図１】
2012197616.tif 000003
【図２】
2012197616.tif 000004
【図３】
2012197616.tif 000005
【図４】
2012197616.tif 000006
【図５】
2012197616.tif 000007
【図６】
2012197616.tif 000008
【図７】
2012197616.tif 000009
【図８】
2012197616.tif 000010
【図９】
2012197616.tif 000011
【図１０】
2012197616.tif 000012
【図１１】
2012197616.tif 000013
【図１２】
2012197616.tif 000014
【図１３】
2012197616.tif 000015
【図１４】
2012197616.tif 000016
【図１５】
2012197616.tif 000017